(57)【特許請求の範囲】
【請求項１】
上下方向に延びる壁本体部材と、前記壁本体部材の屋外側に設けられた壁基礎部材と、前記壁基礎部材から上方に離れて位置し、前記壁本体部材の屋外側に設けられた外装部材とを含む外壁部内において、防水材が配設される前記壁本体部材の屋外面に隣接し、前記外壁部の幅方向に沿って設けられた通気空間に配置される水切具であって、
前記通気空間は、前記壁基礎部材の直上に位置し、かつ、屋外側から作業者の手を挿入可能な高さを有する下方空間と、前記下方空間よりも上方に位置する上方空間とを含み、
前記下方空間よりも上方に位置する前記上方空間内に位置し、前記外壁部に固定される本体部材と、
前記通気空間の前記下方空間を開放する開放位置と、前記下方空間を閉鎖する閉鎖位置との間を変位し得るように、前記本体部材に固定される可動部材とを備える、水切具。
【請求項２】
前記可動部材は、幅方向に互いに間隔をあけて複数個設けられており、
前記閉鎖位置に位置する前記可動部材に取り付けられ、幅方向に延びるカバー部材をさらに含む、請求項１に記載の水切具。
【請求項３】
前記可動部材は、前記開放位置と前記閉鎖位置との間をスライド移動する、請求項１または２に記載の水切具。
【請求項４】
前記本体部材は、前記通気空間内の前記上方空間において屋外側に延びる延出部を有し、
前記延出部と前記外装部材との間の隙間に配置される乾式シール材をさらに備える、請求項１〜３のいずれかに記載の水切具。
【請求項５】
前記外装部材は、前記壁本体部材側に位置する第１面材と、屋外側に位置し、前記第１面材よりも下方にまで延びる第２面材と、前記第１面材と前記第２面材との間に設けられた通気層とを有し、
前記本体部材は、前記通気層に外気を取り入れるための外気取入口を含む、請求項１〜４のいずれかに記載の水切具。
【請求項６】
前記本体部材は、前記第２面材の下端よりも上方、かつ、前記第２面材の裏面側において上下方向に延びる立板部を含み、
前記外気取入口は、前記立板部に設けられている、請求項５に記載の水切具。
【請求項７】
上下方向に延びる壁本体部材と、前記壁本体部材の屋外側に設けられた壁基礎部材と、前記壁基礎部材から上方に離れて位置し、前記壁本体部材の屋外側に設けられた外装部材とを含む外壁部内において、前記壁本体部材の屋外面よりも屋外側に、前記外壁部の幅方向に沿って通気空間が設けられた前記外壁部の防水構造であって、
前記通気空間は、前記壁基礎部材の直上に位置し、かつ、屋外側から作業者の手を挿入可能な高さを有する下方空間と、前記下方空間よりも上方に位置する上方空間とを含み、
前記下方空間よりも上方に位置する前記上方空間内に位置し、前記外壁部に固定される本体部材と、前記通気空間の前記下方空間を開放する開放位置と、前記下方空間を閉鎖する閉鎖位置との間を変位し得るように、前記本体部材に固定される可動部材とを含む水切具と、
前記通気空間に隣接する前記壁本体部材の屋外面に配設される防水材とを備える、外壁防水構造。
【請求項８】
前記防水材は、前記閉鎖位置に位置する前記可動部材の背面に対向するように、前記通気空間に隣接する前記壁本体部材の屋外面に配設される、請求項７に記載の外壁防水構造。
【請求項９】
前記防水材は、前記壁基礎部材の上面にも配設される、請求項７または８に記載の外壁防水構造。
【請求項１０】
上下方向に延びる壁本体部材と、前記壁本体部材の屋外側に設けられた壁基礎部材と、前記壁基礎部材から上方に離れて位置し、前記壁本体部材の屋外側に設けられた外装部材とを含む外壁部内において、前記壁本体部材の屋外面よりも屋外側に、前記外壁部の幅方向に沿って設けられた通気空間に水切具を取り付ける方法であって、
前記通気空間は、前記壁基礎部材の直上に位置し、かつ、屋外側から作業者の手を挿入可能な高さを有する下方空間と、前記下方空間よりも上方に位置する上方空間とを含み、
前記下方空間よりも上方に位置する前記上方空間内に位置するように、本体部材を前記外壁部に固定する工程と、
前記本体部材に固定された可動部材を、前記通気空間の前記下方空間を開放する開放位置に位置させた状態で、前記通気空間に隣接する前記壁本体部材の屋外面に防水材を配設する工程と、
前記防水材を配設した後に、前記可動部材を、前記開放位置から、前記下方空間を閉鎖する閉鎖位置に変位させる工程とを備える、水切具の取り付け方法。
【請求項１１】
前記閉鎖位置に位置する前記可動部材に、幅方向に延びるカバー部材を取り付ける工程をさらに備える、請求項１０に記載の水切具の取り付け方法。
【発明の詳細な説明】
【技術分野】
【０００１】
本発明は、水切具および外壁防水構造に関し、特に、外壁部内において上下方向に延びる境界面よりも屋外側に、外壁部の幅方向に沿って設けられた通気空間に配置される水切具、および、このような通気空間を有する外壁部の防水構造に関する。
【背景技術】
【０００２】
バルコニーの立上り部と外壁（外装部材）との取り合い部などには、通気空間が形成される。この通気空間には、躯体側への浸水を防止するために、水切具が配置される。また、通常、水切具は通気性も必要であるため、通気空間に隣接する（露出する）壁面には、防水シートが貼り付けられる。この場合、水切具は、通気空間の屋外側を覆うように取り付けられるため、防水シートが貼り付けられてから、防水シート上に取り付けられる。
【０００３】
水切具の具体的な取り付け方法としては、ボルト等の締結部材によって固定する方法や、水切具の取り付け面に塩化ビニールシートを貼り付けておき、熱溶着によって固定する方法が存在する。しかし、締結部材を用いる場合、防水シートに孔が開くため、防水シートの防水性能が低下する。また、熱溶着による固定方法は、特殊工具や作業者の熟練技術が必要となる。
【０００４】
そこで、特開２０１１−５２４１５号公報（特許文献１）に示されるように、外壁パネルの下端部と、防水シートが配設されたバルコニーの立上り部（下部ボードおよび下部合板）の上面とを突っ張ることにより、見切り材の本体（見切固定水切金物）を取り付ける方法も提案されている。
【０００５】
なお、水切具のカバー部材を後付けで本体部に取り付け可能とした水切具については、上記特許文献１だけでなく、特開２０１１−２４７０１３号公報（特許文献２）および特開２０１３−１７４０９５号公報（特許文献３）などにも開示されている。
【先行技術文献】
【特許文献】
【０００６】
【特許文献１】特開２０１１−５２４１５号公報
【特許文献２】特開２０１１−２４７０１３号公報
【特許文献３】特開２０１３−１７４０９５号公報
【発明の概要】
【発明が解決しようとする課題】
【０００７】
特許文献１のように、通気空間の天面および底面を突っ張ることによって水切具（見切り材）の本体を取り付ける場合、防水シートに孔を開けることはないが、防水シートに局部的な圧力がかかり亀裂が生じてしまう恐れがある。このような場合には、防水シートの防水性能が低下するため、外壁部（躯体）への水の浸入を防止することが困難となる場合がある。
【０００８】
本発明は、上記のような課題を解決するためになされたものであって、その目的は、通気空間に隣接する壁面（特に、外壁部内において上下方向に延びる境界面の一部）に防水材を配設する必要がある場合でも、外壁部の防水性を維持することができる水切具および外壁防水構造を提供することである。
【０００９】
また、本発明は、現場での水切具の取り付け作業を簡素化することのできる水切具および外壁防水構造を提供することも、他の目的とする。
【課題を解決するための手段】
【００１０】
この発明のある局面に従う水切具は、外壁部内において上下方向に延びる境界面よりも屋外側に、外壁部の幅方向に沿って設けられた通気空間に配置される水切具である。水切具は、通気空間の下方空間を開放した状態で、外壁部に固定される第１の部材と、下方空間の屋外側を覆うように、第１の部材に固定される第２の部材とを備える。
【００１１】
下方空間は、第１の部材を外壁部に固定した状態で、通気空間に隣接する境界面に、防水材を配設可能な大きさであることが望ましい。
【００１２】
好ましくは、第１の部材は、外壁部に取り付けられるベース部材と、ベース部材に取り付けられ、下方空間の屋外側を開放する開放位置と閉鎖する閉鎖位置との間を変位可能な可動部材とを含む。この場合、第２の部材は、可動部材が閉鎖位置に位置する状態で、可動部材に取り付けられることが望ましい。
【００１３】
あるいは、第２の部材は、下方空間の屋外側を開放する開放位置と閉鎖する閉鎖位置との間を変位可能な可動部材を含んでもよい。
【００１４】
この場合、第２の部材は、可動部材が閉鎖位置に位置する状態で、可動部材に取り付けられるカバー部材をさらに含んでもよい。
【００１５】
好ましくは、可動部材は、開放位置と閉鎖位置との間をスライド移動する。
【００１６】
好ましくは、第１の部材は、通気空間内の上方空間において屋外側に延びる延出部を有し、延出部と外壁部との間の隙間に配置される乾式シール材をさらに備える。
【００１７】
好ましくは、外壁部は、境界面よりも屋外側であって、通気空間よりも上方に、上下方向に貫通する通気層を有する外装部材を含む。この場合、第１の部材は、通気層に外気を取り入れるための外気取入口を含むことが望ましい。
【００１８】
また、外装部材は、通気層を挟んで、境界面側に位置する第１面材と、屋外側に位置し、第１面材よりも下方にまで延びる第２面材とを含んでいてもよい。この場合、第１の部材の外気取入口は、第２面材の下端よりも上方、かつ、第２面材の裏面側に配置されていることが望ましい。
【００１９】
この発明の他の局面に従う外壁防水構造は、外壁部内において上下方向に延びる境界面よりも屋外側に、外壁部の幅方向に沿って通気空間が設けられた外壁部の防水構造であって、水切具と、防水材とを備える。水切具は、通気空間の下方空間を開放した状態で、外壁部に固定される第１の部材と、下方空間の屋外側を覆うように、第１の部材に固定される第２の部材とを含む。防水材は、通気空間に隣接する境界面に配設される。
【００２０】
好ましくは、防水材は、水切具の第１の部材が外壁部に固定された状態で、第１の部材および第２の部材の背面に対向するように、通気空間側に隣接する境界面に配設される。
【００２１】
防水材は、通気空間の下側において略水平方向に延びる面にも配設されてもよい。
【発明の効果】
【００２２】
本発明によれば、通気空間に隣接する境界面に防水材を配設する必要がある場合でも、外壁部の防水性を維持することができる。
【００２３】
また、水切具の第１の部材は、通気空間の下方空間を開放した状態で外壁部に固定されるため、工場において、外壁部に第１の部材を予め固定しておくこともできる。その結果、本発明によれば、現場での水切具の取り付け作業を簡素化することも可能である。
【図面の簡単な説明】
【００２４】
【図１】本発明の実施の形態に係る外壁防水構造を模式的に示す断面図である。
【図２】本発明の実施の形態に係る水切具の取り付け構造を模式的に示す断面図である。
【図３】本発明の実施の形態に係る水切具の分解断面図である。
【図４】本発明の実施の形態に係る水切具の水切部材の構成例を示す斜視図である。
【図５】本発明の実施の形態における固定金具の構成例を示す斜視図である。
【図６】本発明の実施の形態における可動部材の構成例を示す斜視図である。
【図７】本発明の実施の形態に係る水切具の見切部材の構成例を示す斜視図である。
【図８】本発明の実施の形態において、防水材が配設されていない状態の外壁部を示す図である。
【図９】本発明の実施の形態の変形例に係る外壁防水構造を模式的に示す断面図である。
【図１０】本発明の実施の形態の変形例における可動部材の構成例を示す斜視図である。
【発明を実施するための形態】
【００２５】
本発明の実施の形態について図面を参照しながら詳細に説明する。なお、図中同一または相当部分には同一符号を付してその説明は繰返さない。
【００２６】
（概要について）
はじめに、図１を参照して、本実施の形態に係る外壁防水構造の概要について説明する。
【００２７】
図１は、本実施の形態に係る外壁防水構造を模式的に示す断面図である。なお、図１の矢印Ａ１は、外壁部１の厚み方向のうち屋外側を示している。外壁部１の幅方向は、水平面上において厚み方向に直交する方向を示す。
【００２８】
図１を参照して、建物のバルコニーの立ち上がり部において、外壁部１は、壁本体部材１１と、外装部材１２と、立ち上がり部としての壁基礎部材１６とを含む。外装部材１２および壁基礎部材１６は、上下方向に間隔を開けて配置されており、両者間に、屋外空間とつながる通気空間２が形成されている。外装部材１２、壁基礎部材１６および通気空間２は、いずれも壁本体部材１１の屋外側に位置している。つまり、通気空間２は、外壁部１に、幅方向に沿って設けられている。
【００２９】
壁本体部材１１は、外壁部１の躯体を構成している。壁本体部材１１の屋外側の面１０は、外壁部１内において上下方向に延びる「境界面」である。壁本体部材１１は、断熱材１７と、断熱材１７を支持するパネルフレーム（図示せず）とを含んでいる。外装部材１２は、第１面材としての内側面材１３と、第２面材としての化粧面材１４と、これらの面材１３，１４間に形成された、上下方向に貫通する通気層１５とを含む。内側面材１３は、境界面１０に隣接する。化粧面材１４は、屋外に面しており、内側面材１３よりも下方にまで延びている。
【００３０】
本実施の形態では、外壁部１のうちの少なくとも壁本体部材１１および外装部材１２は、予め、工場にて外壁パネルとして一体化されている。壁基礎部材１６は、現場で取り付けられてよく、たとえば複数の合板を含む。外壁部１のうち化粧面材１４以外の部材（壁本体部材１１、内側面材１３および壁基礎部材１６）は、防水施工が必要とされる。
【００３１】
上記通気空間２には、水切具４が設けられる。水切具４によって、外装部材１２内の通気層１５への通気と外壁部１の防水とが実現される。また、通気空間２に隣接する奥側（屋内側）および下側の壁面１０ａ，１６ａには、防水シート３１が貼り付けられ、防水層が形成される。奥側の壁面１０ａは、外壁部１内の境界面１０のうち、通気空間２に隣接する面である。下側の壁面１６ａは、壁基礎部材１６の上面である。防水シート３１は、壁基礎部材１６の側面１６ｂにまで貼り付けられている。この側面１６ｂには、防水シート３１上にさらに別の防水シート３２が貼り付けられている。
【００３２】
本実施の形態において、水切具４は、外壁部１に固定される第１の部材（以下「水切部材」という）５と、水切部材５に固定され、通気空間２の下方空間２１の屋外側を覆う第２の部材（以下「見切部材」という）６とを備える。本実施の形態では、見切部材６は、カバー部材６０によって構成されている。カバー部材６０は、その下方側から外気が取り入れられるように、壁基礎部材１６との間に隙間を有して配置される。水切部材５は、カバー部材６０の下方から取入れられた外気を通気層１５に送り込むための外気取入口５１０を有している。
【００３３】
このような水切具４が通気空間２に配置される場合、図１の矢印Ｆ１で示すように、外気は、カバー部材６０の下方から通気空間２内へ取り込まれ、水切部材５の外気取入口５１０の後方から通気層１５へ送り込まれる。また、図１の矢印Ｆ２で示されるように、カバー部材６０によって、通気空間２内への雨水の浸入が一次的に遮られる。さらに、強風時など、雨水が通気空間２内に入り込んできたとしても、通気空間２に隣接する壁面１０ａ，１６ａには、防水シート３１が貼り付けられているため、外壁部１の壁本体部材１１および壁基礎部材１６は防水される。
【００３４】
ここで、図１に示されるように、完成品としての水切具４を通気空間２に配置すると、当然ながら、通気空間２の屋外側（入口部）はほぼ覆われた状態となる。このことは、一般的な水切具においても同様である。そのため、通常、水切具の外壁部への固定は、現場で、通気空間２に隣接する壁面１０ａ，１６ａに防水シート３１が貼り付けられた後で行われる。特に、水切具を取り付けた後で、その背面に対向するような位置（通気空間の奥の壁面１０ａ）に防水シート３１を貼り付けることは困難であるからである。
【００３５】
これに対し、本実施の形態では、カバー部材６０取り付け用の部材として、通気空間２の下方空間２１の屋外側を開放する開放位置とこれを閉鎖する閉鎖位置との間を変位可能な可動部材を採用することで、防水シート３１の後付けを可能としている。以下に、このような可動部材を含む水切具４が取り付けられた外壁部１の防水構造について、詳細に説明する。
【００３６】
（外壁防水構造について）
図１および図２を参照して、本実施の形態に係る外壁防水構造について説明する。図２は、本実施の形態に係る水切具４の取り付け構造を模式的に示す断面図である。
【００３７】
図２に示されるように、水切部材５は、外壁部１に固定されるベース部材５０と、ベース部材５０に固定される可動部材５４とを含む。可動部材５４は、図２において一点鎖線で示す上方位置と実線で示す下方位置との間をスライドする。可動部材５４が上方位置に位置するとき、通気空間２の下方空間２１の屋外側は開放されている。これに対し、可動部材５４が下方位置に位置するとき、下方空間２１の屋外側は閉鎖されている。可動部材５４が下方位置に位置するときに、可動部材５４に対してカバー部材６０が取り付けられる。
【００３８】
本実施の形態において、下方空間２１は、水切部材５を外壁部１に取り付けた状態で、少なくとも通気空間２の奥側の壁面１０ａに防水シート３１を配設可能な大きさ（高さ）である。より特定的には、下方空間２１の入口部（本実施の形態では、可動部材５４と壁基礎部材１６との間）の高さ寸法は、防水シート３１を貼り付けるために、屋外側から手や工具を挿入できる大きさである。したがって、可動部材５４が上方位置に位置していれば、水切部材５を外壁部１に取り付けた状態で、通気空間２内に防水層を立ち上げることができる。
【００３９】
ここで、図３〜図７を参照して、水切具４の構造例について説明する。水切具４の説明においては、屋外側を前方、屋内側を後方ともいう。なお、図３には、水切具４の分解断面図が示されているが、図３の断面は、図１および図２に示す断面とは切断位置が異なっている。
【００４０】
図３および図４に示されるように、水切部材５のベース部材５０は、水切部材５の本体部として機能する水切本体部材５１を含む。つまり、水切本体部材５１によって、化粧面材１４の裏面よりも屋内側の外壁部１の防水と、通気層１５への通気との両方が実現される。水切本体部材５１は、幅方向に並べられる長尺状の金物であり、通気空間２の上方空間２２内に配置される。水切本体部材５１は、複数の固定金具（固定部材）５２によって外壁部１の壁本体部材１１に固定されている。また、水切本体部材５１には、可動部材５４を支持するための支持金具（支持部材）５３が固定されている。支持金具５３は、水切本体部材５１の幅方向両側にそれぞれ配置される。
【００４１】
水切本体部材５１の断面形状は、たとえば略階段状に形成されており、略水平方向に延びる部分（以下「水平板部」という）５１１，５１３，５１５と、上下方向に延びる部分（以下「立板部」という）５１２，５１４とを交互に含んでいる。最も上側に位置する水平板部５１１は、内側面材１３の下端面に当接される。水平板部５１１の前方端には、立板部５１２が連結されている。立板部５１２は、複数の外気取入口５１０を有しており、通気部として機能する。立板部５１２の下端は、化粧面材１４の裏面側に位置する水平板部５１３に連結されている。水平板部５１３は、化粧面材１４の裏面にまで延びており、外装部１２内の通気層１５への雨水の侵入を遮るための水返しとして機能する。
【００４２】
水平板部５１３の前方端には、立板部５１４が連結されている。立板部５１４は、化粧面材１４の裏面に当接される。立板部５１４は、化粧面材１４よりも少し下方にまで延びており、最も下側に位置する水平板部５１５に連結されている。水平板部５１５は、化粧面材１４の下面に沿って配置されている。水平板部５１５は、通気空間２の上方空間２２において、屋外側に延出する延出部として機能する。水平板部５１５の前方端部５１５ａは、上方へ折り曲げられている。
【００４３】
水平板部５１５上であって、前方端部５１５ａと立板部５１４との間には、前方端部５１５ａよりも高さのある乾式シール材５５が設けられる。これにより、化粧面材１４の下端面と水切本体部材５１の延出部としての水平板部５１５との間は止水される。
【００４４】
水切本体部材５１の最も上側の水平板部５１１の後方端には、固定金具５２が取り付けられる垂下部５１６が設けられている。垂下部５１６は、たとえば、リベット等の連結部材を差し込むための貫通穴５１６ａを有している。水切本体部材５１は、鋼板が折り曲げ加工されることによって形成されてもよい。
【００４５】
図３および図５に示されるように、固定金具５２は、水切本体部材５１に固定される水切固定部５２１と、壁本体部材１１に固定される壁固定部５２２とを含む。水切固定部５２１は、水切本体部材５１の垂下部５１６に当接し、外壁部１の境界面１０に沿って延びている。水切固定部５２１も、水切本体部材５１の垂下部５１６と同様に、リベット等の連結部材を差し込むための貫通穴５２１ａを有していてもよい。壁固定部５２２は、たとえば、断熱材１７間に設けられた桟木１８に固定されている。
【００４６】
図３および図６に示されるように、支持金具５３は、水切本体部材５１に固定される水切固定部５３１と、可動部材５４が取り付けられる取付部５３３と、水切固定部５３１および取付部５３３を連結する連結部５３２とを含む。水切固定部５３１は、水切本体部材５１の上側の立板部５１２の裏面に当接した状態で固定される。水切固定部５３１は、立板部５１２に設けられた外気取入口５１０と重ならない位置に固定されることが望ましい。水切固定部５３１と水切本体部材５１の立板部５１２とは、たとえば接着材等によって固定されてもよい。
【００４７】
取付部５３３は、上下方向に延びる板状部材であり、水切本体部材５１の下側の立板部５１４の裏面に沿って配置される。取付部５３３は、水切本体部材５１の下側の立板部５１４よりも下方にまで延びている。取付部５３３の下端部には、連結部材としてのボルト７１を挿入するための貫通穴５３３ａが設けられている。貫通穴５３３ａは、水切本体部材５１の延出部としての水平板部５１５よりも下方に位置している。ボルト７１は、取付部５３３の裏面側に配置されるナット７２と係合される。
【００４８】
可動部材５４は、支持金具５３の取付部５３３に対し、上下方向にスライド移動可能に取り付けられる。可動部材５４は、支持金具５３の取付部５３３に連結されるスライド部５４１と、スライド部５４１の下端に連結され、カバー部材６０を取り付けるためのカバー取付部５４２とを含む。スライド部５４１は、上下方向に延びる板状部材であり、水切本体部材５１の下側の立板部５１４の裏面と、支持金具５３の取付部５３３の表面との間に配置されている。スライド部５４１には、ボルト７１（ボルト軸）を挿入するための、上下方向に長さを有する長穴５４０が設けられている。
【００４９】
ボルト７１が長穴５４０の下端に位置している状態における可動部材５４の位置が、上方位置（すなわち開放位置）である。これに対し、ボルト７１が長穴５４０の上端または上端付近に位置している状態における可動部材５４の位置が、下方位置（すなわち閉鎖位置）である。可動部材５４の上下移動は、たとえば、ボルト７１を締めたり緩めたりすることによって行われてよい。
【００５０】
カバー取付部５４２は、ボルト７１とスライド部５４１の長穴５４０との位置関係に応じて、上下方向の位置が変わる。カバー取付部５４２は、水切本体部材５１の水平板部５１５の下方に配置されている。カバー取付部５４２は、上方位置において水切本体部材５１の水平板部５１５に最も近づく。カバー取付部５４２は、下方位置において下側の壁面１６ａに最も近づくが、この壁面１６ａとは非当接であることが望ましい。
【００５１】
カバー取付部５４２は、主に、略水平方向に延びる板状の部材により構成されており、その上面および前方に被係合部５４２ａ，５４２ｂをそれぞれ有している。被係合部５４２ａは、たとえば、緩やかな山状の凸部として形成され、カバー部材６０の係合片６５が引掛けられる。被係合部５４２ｂは、下方に垂れ下がる垂下部として形成され、カバー部材６０の曲折部６４が引掛けられる。
【００５２】
図７を参照して、カバー部材６０は、水切本体部材５１と同様に、長尺状に形成されている。カバー部材６０は、水平方向に延びる天板部６１と、天板部６１の前方端より斜め下方に延びる傾斜遮蔽部６２と、傾斜遮蔽部６２の前方端より下方に垂れ下がる垂下遮蔽部６３とを含む。天板部６１は、水切本体部材５１の延出部としての水平板部５１５の下面に当接される。傾斜遮蔽部６２および垂下遮蔽部６３は、水切部材５を遮蔽する。垂下遮蔽部６３は、外壁部１の厚み方向において、化粧面材１４の前面と略同じライン上に配置される。
【００５３】
カバー部材６０は、垂下遮蔽部６３の下端から後方側へ斜め上方に折り曲げられた曲折部６４と、天板部６１の下面より下方に延びる係合片６５とを含む。曲折部６４は、上記可動部材５４への取り付けのための係合部としても機能し、可動部材５４の被係合部５４２ｂの下端に引掛けられる。その状態で、カバー部材６０を屋内側へ押し込むことで、係合片６５が、可動部材５４の被係合部５４２ａの後方に引掛けられる。このように、カバー部材６０は、可動部材５４が下方位置に配置されていれば、水切本体部材５１の水平板部５１５と可動部材５４との間に、簡単に嵌め入れることができる。
【００５４】
次に、図８を参照して、水切具４の取り付け手順について説明する。図８には、防水シート３１を貼り付ける前の外壁部１が示されている。なお、図８には、防水シート３１を貼り付けるべき壁面１０ａ，１６ａが太線にて示されている。本実施の形態の水切具４の場合、壁面１０ａの範囲は、水切本体部材５１の垂下部５１６の直下から壁基礎部材１６の上面までであってもよい。
【００５５】
図８に示されるように、防水シート３１を貼り付ける前は、水切部材５の可動部材５４は上方位置に配置されている。この場合、通気空間２の下方空間２１は開放されている。したがって、水切部材５が既に外壁部１に固定された状態でも、通気空間２に隣接する壁面１０ａ，１６ａに対し、防水シート３１を貼り付けることができる。つまり、水切部材５が外壁部１に固定された状態で、図１に示す設置状態での水切部材５および見切部材６の背面および下面に対向するように、防水シート３１を貼り付けることができる。防水シート３１の配設が終わると、可動部材５４を下方にスライドさせて、カバー部材６０が可動部材５４に取り付けられる。
【００５６】
本実施の形態では、通気空間２の上方空間２２において、水切部材５の上側の背面（支持金具５３の水切固定部５３１の裏面）と壁面１０ａとの間は、内側面材１３の厚み分程度離れている。また、水切部材５の上方空間２２において、水切本体部材５１の下側の背面（支持金具５３の取付部５３３の裏面）と壁面１０ａとの間は、内側面材１３の厚み以上離れている。このように、通気空間２の多くが防水処理のための作業スペースとなるため、奥側の壁面１０ａの上端部への防水シート３１の貼り付けも容易に行うことができる。
【００５７】
上述のように、防水シート３１は、水切部材５（水切具４）を支持する構成ではないため、防水シート３１に孔を開ける必要がない。したがって、水切部材５を通気空間２内に配置した状態でも、防水シート３１の防水性を維持することができる。また、水切部材５は、壁本体部材１１内の桟木１８に対してビス等によって固定されるだけである。したがって、特殊な工具や技術を要することなく、水切部材５を外壁部１に固定することができる。
【００５８】
また、防水シート３１の後付けを可能とすることで、水切部材５を、工場組立部品とすることができる。つまり、工場において、外壁パネルの製造時に、外壁パネル（壁本体部材１１）に、水切部材５を予め取り付けてもよい。この場合、現場では、防水シート３１を貼り付けた後に、水切部材５の可動部材５４を下方へ移動させ、カバー部材６０を嵌め込むだけでよい。これにより、現場での水切具４の取付作業を簡素化することができる。その結果、現場での水切具４の取り付けに要する時間を短縮することができる。
【００５９】
また、水切部材５が工場で事前に取り付けられるため、上述の乾式シール材５５も、工場で取り付けておくことができる。したがって、一般的には、カバー部材６０と化粧面材１４との間を止水するために、現場で湿式シール材が施工されるが、このようなシーリング工程を削減することができる。したがって、現場での作業をさらに省力化することができる。
【００６０】
また、通気空間２周辺は、構造物の累積公差などによって、化粧面材１４と壁基礎部材１６（壁面１６ａ）との間、すなわち通気空間２の入口部の高さ寸法には、ばらつきが生じやすい。しかし、本実施の形態では、水切部材５は、壁基礎部材１６に依存せず、化粧面材１４側に固定されるため、外壁部１自体に高さ方向のばらつきが存在していたとしても、カバー部材６０の水平精度を容易に確保することができる。
【００６１】
また、本実施の形態の水切具４において、外気取入口５１０は、化粧面材１４の裏面側において上下方向に延びるように配置されている。そのため、外気は、外気取入口５１０の後方から迂回するように通気層１５へ取り込まれる。したがって、通気空間２自体を大きく採ったとしても、雨水が通気層１５内へ浸入するリスクを低減させることができる。
【００６２】
さらに、防水シート３１は、一定の保証年数を経過した後、増し張りを行うことが多いが、このような改修工事においても、カバー部材６０を取り外し、可動部材５４を上方にスライド移動させることで、通気空間２の下方空間２１を容易に開放することができる。したがって、防水シート３１の改修工事を簡素化することも可能である。
【００６３】
なお、上記実施の形態では、可動部材５４は、通気空間２の下方空間２１を開放した状態で外壁部１に固定される水切部材５に含まれることとした。しかしながら、可動部材５４は、下方空間２１の屋外側を覆う位置にも配置されるため、見切部材６に含まれることとしてもよい。つまり、見切部材６は、可動部材５４とカバー部材６０とを含むこととしてもよい。この場合、水切部材５には、ベース部材５０のみが含まれる。
【００６４】
また、可動部材５４を見切部材６の一要素とする場合、可動部材５４自体に、カバー部材６０に相当する機能を持たせてもよい。その場合の外壁防水構造を、本実施の形態の変形例として以下に説明する。
【００６５】
（変形例）
図９および図１０を参照して、変形例に係る外壁防水構造について、上記実施の形態と異なる部分のみ詳細に説明する。図９は、本実施の形態の変形例に係る外壁防水構造を模式的に示す断面図である。図１０は、本実施の形態の変形例における可動部材５４Ａの構成例を示す斜視図である。
【００６６】
本変形例では、水切具４Ａの水切部材５Ａは、ベース部材５０によって構成される。見切部材６Ａは、可動部材５４Ａによって構成される。可動部材５４Ａは、上記カバー部材６０と同様に、幅方向に長さを有している。
【００６７】
可動部材５４Ａは、上記実施の形態で用いたカバー部材６０を取り付ける必要がないため、カバー取付部５４２を含まない。可動部材５４Ａは、スライド部としての第１の遮蔽部５４３と、第１の遮蔽部５４３の下端に連結され、略水平方向に延びる第２の遮蔽部５４４と、第２の遮蔽部５４４の前方端より垂れ下がる第３の遮蔽部５４５とを含む。第１の遮蔽部５４３には、ボルト７１用の２つの長穴５４０が形成されている。第２の遮蔽部５４４は、上記実施の形態のカバー取付部５４２と同様に、壁基礎部材１６よりも屋外側へ突出している。第３の遮蔽部５４５は、可動部材５４Ａが下方位置に位置するときに、その下端部が、壁基礎部材１６の壁面１６ａ上の防水シート３１の上面よりも下方に配置されることが望ましい。
【００６８】
可動部材５４Ａが長尺状とされることで、可動部材５４Ａが下方位置（図９の実線で示す位置）に位置するとき、可動部材５４Ａによって通気空間２の屋外側が閉鎖される。したがって、本変形例では、可動部材５４Ａが下方位置に位置するとき、図９の矢印Ｆ１Ａで示すように、外気は、可動部材５４Ａの第２の遮蔽部５４４と壁基礎部材１６の壁面１６ａとの間の隙間を通って、通気空間２内に取り込まれる。なお、可動部材５４Ａが下方位置にあるときに、長穴５４０を塞ぐ部材が設けられることが望ましい。
【００６９】
このように、本変形例では、可動部材５４Ａを上方位置（図９の一点鎖線で示す位置）から下方位置にスライド移動させるだけで、水切具４Ａとして完成することができる。したがって、本変形例によれば、現場で、水切具４Ａ用の部品を準備する必要がなく、より省力化を図ることができる。
【００７０】
（他の変形例）
上記実施の形態および変形例では、可動部材５４（５４Ａ）が上下方向にスライド移動することとしたが、上方位置（開放位置）と下方位置（閉鎖位置）とを変位可能であれば、スライド移動に限定されない。たとえば、可動部材５４は、回動によって両位置を変位可能であってもよい。
【００７１】
また、可動部材５４は、支持金具５３によって支持されることとしたが、水切本体部材５１に直接支持させる構成としてもよい。
【００７２】
また、水切本体部材５１の外気取入口５１０は、化粧面材１４の下端よりも上方かつ裏面側に位置していれば、上下方向に延びていなくてもよい。たとえば、水切本体部材５１の中間に位置する水平板部５１３に、外気取入口５１０が形成されてもよい。
【００７３】
また、上記では、通気空間２の奥側および下側に位置する壁面１０ａ，１６ａに、防水シート３１、すなわちシート状の防水材が貼り付けられることとした。しかしながら、壁面１０ａ，１６ａ上に防水層が形成されれば、シート状の防水材でなくてもよい。また、たとえば、壁基礎部材１６の上面である壁面１６ａ自体が防水性を有しているような場合には、奥側の壁面１０ａにのみ防水材が配設されてもよい。
【００７４】
また、バルコニーの立ち上がり部における外壁部１の防水構造を例に説明したが、幅方向に沿って通気空間が設けられた外壁部であれば、他の部位においても適用することができる。
【００７５】
また、上記では、乾式シール材５５を工場にて取り付け可能とするために、水切部材５のベース部材５０は、化粧面材１４の下端面に沿って延びる延出部（水平板部）５１５を含むこととした。しかしながら、ベース部材５０は、延出部５１５を含まなくてもよい。この場合、カバー部材６０は、化粧面材１４の下端面と、可動部材５４のカバー取付部５４２との間に固定されればよい。また、この場合、カバー部材６０の天板部６１と化粧面材１４の下端面との間の隙間に、湿式のシール材が設けられてもよい。
【００７６】
また、上記では、見切部材６（カバー部材６０）を取り付けるための見切取付部材を可動部材５４としたが、見切取付部材は上方位置に固定されたままであってもよい。つまり、防水シート３１が配設された後、上方位置に固定された状態の見切取付部材に、直接、または、別部材を介して、見切部材６としてのカバー部材６０が取り付けられてもよい。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１  外壁部、２  通気空間、４，４Ａ  水切具、５，５Ａ  水切部材、６，６Ａ  見切部材、１０  境界面、１１  壁本体部材、１２  外装部材、１３  内側面材、１４  化粧面材、１５  通気層、１６  壁基礎部材、１７  断熱材、１８  桟木、２１  下方空間、２２  上方空間、３１，３２  防水シート、５０  ベース部材、５１  水切本体部材、５２  固定金具、５３  支持金具、５４，５４Ａ  可動部材、５５  乾式シール材、６０  カバー部材、６１  天板部、６２  傾斜遮蔽部、６３  垂下遮蔽部、６４  曲折部、６５  係合片、７１  ボルト、７２  ナット、５１０  外気取入口、５１１，５１３，５１５  水平板部、５１２，５１４  立板部、５１６  垂下部、５２１，５３１  水切固定部、５２２  壁固定部、５３２  連結部、５３３  取付部、５４０  長穴、５４１  スライド部、５４２  カバー取付部、５４２ａ，５４２ｂ  被係合部、５４３，５４４，５４５  遮蔽部。
【図１】
0005953326.tif 000002
【図２】
0005953326.tif 000003
【図３】
0005953326.tif 000004
【図４】
0005953326.tif 000005
【図５】
0005953326.tif 000006
【図６】
0005953326.tif 000007
【図７】
0005953326.tif 000008
【図８】
0005953326.tif 000009
【図９】
0005953326.tif 000010
【図１０】
0005953326.tif 000011